(57)【要約】  本発明はＣＰＮＳ環境におけるコンテンツ出力システム及び方法に関し、ＣＰＮＳ環境におけるコンテンツ出力システムは、コンバージェンスパーソナルネットワークサービス（ＣＰＮＳ）に対応できるコンテンツ再生端末を検索し、前記検索されたコンテンツ再生端末からコンテンツ情報を受信し、既保存のコンテンツのうちの少なくとも一つを前記コンテンツ再生端末にダウンロードして前記コンテンツ再生端末とコンテンツを共有し、前記共有されたコンテンツのうちユーザーによって選択されたコンテンツの再生要請を行うユーザー端末と、前記ユーザー端末と近距離無線通信網を介して接続されて前記ユーザー端末とコンテンツを共有し、前記ユーザー端末からのコンテンツの再生要請に応じて当該コンテンツをコンテンツ出力装置を介して出力するコンテンツ再生端末と、前記コンテンツ再生端末から送られてくるコンテンツを出力するコンテンツ出力装置と、を備える。  また、本発明に係るユーザー端末は、近距離無線通信網を介して通信を行うための無線通信部と、ユーザー命令の入力を受ける入力部と、コンテンツが保存された保存部と、ＣＰＮＳ通信規約に基づき、同じネットワークに存在する少なくとも一つのユーザー端末からコンテンツをダウンロードし、前記保存部に保存されたコンテンツを前記ユーザー端末に伝送して前記ユーザー端末とコンテンツが共有されるようにするダウンロード処理部と、前記入力部を介してコンテンツの再生要請が行われた場合、当該コンテンツをデコードして出力する再生部と、を備える。  本発明によれば、コンテンツ再生端末を既存の外部スピーカーの入力端子に接続することでインターネットスピーカーとして活用することができ、ユーザーは、ネットワーク上のコンテンツをより一層豊富なサウンド環境下で聴取することができる。また、ＣＰＮＳに対応できる端末のコンテンツをＷｉＦｉなどの近距離無線通信を介して受信した後にＦＭ送出を行うことができ、ユーザーは、ＣＰＮＳに対応できる様々な端末のコンテンツを車両内において手軽に聴取することができる。
2012528418.tif 000002
【特許請求の範囲】
【請求項１】
コンバージェンスパーソナルネットワークサービス（ＣＰＮＳ）に対応できるコンテンツ再生端末を検索し、前記検索されたコンテンツ再生端末からコンテンツ情報を受信し、既保存のコンテンツのうちの少なくとも一つを前記コンテンツ再生端末にダウンロードして前記コンテンツ再生端末とコンテンツを共有し、前記共有されたコンテンツのうちユーザーによって選択されたコンテンツの再生要請を行うユーザー端末と、
前記ユーザー端末と近距離無線通信網を介して接続されて前記ユーザー端末とコンテンツを共有し、前記ユーザー端末からのコンテンツの再生要請に応じて当該コンテンツをコンテンツ出力装置を介して出力するコンテンツ再生端末と、
前記コンテンツ再生端末から送られてくるコンテンツを出力するコンテンツ出力装置と、
を備えることを特徴とするＣＰＮＳ環境におけるコンテンツ出力システム。
【請求項２】
前記ユーザー端末または前記コンテンツ再生端末に保存されたコンテンツを互いにダウンロードしたり、再生したいコンテンツを遠隔にて選択したりするための遠隔制御装置をさらに備えることを特徴とする請求項１に記載のＣＰＮＳ環境におけるコンテンツ出力システム。
【請求項３】
前記コンテンツ出力装置は、外部スピーカーであることを特徴とする請求項１に記載のＣＰＮＳ環境におけるコンテンツ出力システム。
【請求項４】
前記コンテンツ再生端末は、前記ユーザー端末からのコンテンツの再生要請に応じて当該コンテンツをデコードした後にＦＭデータに変換して送出し、前記コンテンツ出力装置は、前記コンテンツ処理端末からのＦＭデータをリアルタイムにて復調して出力することを特徴とする請求項１に記載のＣＰＮＳ環境におけるコンテンツ出力システム。
【請求項５】
前記コンテンツ再生端末は、前記ＦＭデータを特定の周波数で送出することを特徴とする請求項４に記載のＣＰＮＳ環境におけるコンテンツ出力システム。
【請求項６】
近距離無線通信網を介して通信を行うための無線通信部と、
コンテンツを保存する保存部と、
ＣＰＮＳに対応できるコンテンツ再生端末を検索する端末検索部と、
前記端末検索部において検索されたコンテンツ再生端末にコンテンツ情報を要請・受信し、前記保存部に保存されたコンテンツのうちの少なくとも一つを前記検索されたコンテンツ再生端末にダウンロードして前記コンテンツ再生端末とコンテンツを共有するコンテンツ共有処理部と、
前記コンテンツ共有処理部によって共有されたコンテンツのうちユーザーによって選択されたコンテンツの再生要請を前記無線通信部を介して前記コンテンツ再生端末に伝送する再生要請部と、
を備えるユーザー端末。
【請求項７】
前記端末検索部は、前記検索されたコンテンツ再生端末から端末情報を受信して管理することを特徴とする請求項６に記載のユーザー端末。
【請求項８】
前記再生要請部は、前記コンテンツ共有処理部によってダウンロードされたコンテンツの再生要請を行う、前記保存部に保存されたコンテンツのうちユーザーによって選択されたコンテンツをストリーミングしつつ再生要請を行う、または、前記コンテンツ再生端末に保存されたコンテンツの再生要請を行うことを特徴とする請求項６に記載のユーザー端末。
【請求項９】
近距離無線通信網を介して通信を行うための無線通信部と、
コンテンツを保存する保存部と、
前記無線通信部を介してユーザー端末からコンテンツをダウンロードし、前記保存部に保存されたコンテンツを前記ユーザー端末に伝送してコンテンツが共有されるようにするダウンロード処理部と、
前記ダウンロード処理部を介して共有されたコンテンツのうち前記ユーザー端末によって再生要請が行われたコンテンツをデコードするデコード部と、
前記デコードされたコンテンツをコンテンツ出力装置に送出する出力インタフェース部と、
を備えるコンテンツ再生端末。
【請求項１０】
前記コンテンツ出力装置は外部スピーカーを使用し、出力インタフェース部はステレオジャックインタフェースであることを特徴とする請求項９に記載のコンテンツ再生端末。
【請求項１１】
前記無線通信部を介して前記ユーザー端末に端末情報を提供する端末情報提供部をさらに備えることを特徴とする請求項９に記載のコンテンツ再生端末。
【請求項１２】
前記デコードされたコンテンツをＦＭデータに変換するＦＭ変換部をさらに備え、前記出力インタフェース部は前記ＦＭ変換部において変換されたＦＭデータを特定の周波数で送出することを特徴とする請求項９に記載のコンテンツ再生端末。
【請求項１３】
前記デコード部は、前記ユーザー端末からダウンロードされたコンテンツまたはストリーミングされるコンテンツをリアルタイムにてデコードすることを特徴とする請求項９に記載のコンテンツ再生端末。
【請求項１４】
前記ＦＭ変換部は、前記デコードされたコンテンツを変復調してＦＭデータに変換すると共に、変換されたＦＭデータがラジオにおいて受信可能な周波数帯域を有するように選択的に変換し、前記ＦＭ送出部は、前記ＦＭ変換部によって選択されたチャンネルに無線送出するために前記ＦＭデータを高周波信号に変換し、前記変換されたＦＭ高周波信号を無線送出するために所定のレベルに増幅した後に送出することを特徴とする請求項１２に記載のコンテンツ再生端末。
【請求項１５】
ユーザー命令の入力を受ける入力部と、
前記入力部を介してコンテンツの再生要請が行われた場合、当該コンテンツをデコードして出力する再生部と、
をさらに備えることを特徴とする請求項９に記載のコンテンツ再生端末。
【請求項１６】
前記再生部は、前記デコードされたコンテンツの外部スピーカーを通しての出力要請が行われた場合、前記出力インタフェース部を介して接続された外部スピーカーを通して前記デコードされたコンテンツを出力し、外部スピーカーを通しての出力が要請されない場合、自分のスピーカーを通して前記デコードされたコンテンツを出力することを特徴とする請求項１５に記載のコンテンツ再生端末。
【請求項１７】
前記入力部には、前記保存部に保存されたコンテンツの再生のための「再生」ボタン、「前へ」ボタン、「次へ」ボタン、「ボリュームアップ」ボタン及び「ボリュームダウン」ボタンが設けられていることを特徴とする請求項１５に記載のコンテンツ再生端末。
【請求項１８】
前記再生部は、前記再生要請の行われたコンテンツの保有有無を判断し、前記再生要請の行われたコンテンツを保有している場合に前記保存部から当該コンテンツを取り出してデコードし、前記再生要請の行われたコンテンツを保有していない場合には前記ユーザー端末からダウンロードしてデコードすることを特徴とする請求項１５に記載のコンテンツ再生端末。
【請求項１９】
（ａ）ユーザー端末がＣＰＮＳに対応できるコンテンツ再生端末を検索するステップと、
（ｂ）前記ユーザー端末が前記検索されたコンテンツ再生端末からコンテンツ情報を受信し、既保存のコンテンツのうちの少なくとも一つを前記コンテンツ再生端末にダウンロードして前記コンテンツ再生端末とコンテンツを共有するステップと、
（ｃ）前記ユーザー端末が前記共有されたコンテンツのうちユーザーによって選択されたコンテンツの再生を前記コンテンツ再生端末に要請するステップと、
（ｄ）前記コンテンツ再生端末が前記再生要請の行われたコンテンツをデコードするステップと、
（ｅ）前記コンテンツ再生端末が前記デコードされたコンテンツをコンテンツ出力装置を介して出力するステップと、
を含むＣＰＮＳ環境におけるコンテンツ出力方法。
【請求項２０】
前記コンテンツ出力装置は、前記コンテンツ再生端末にステレオジャックを介して接続された外部スピーカーであることを特徴とする請求項１９に記載の方法。
【請求項２１】
前記ステップ（ｅ）は、
（ｅ１）前記コンテンツ処理端末が前記デコードされたコンテンツをＦＭデータに変換して送出するステップと、
（ｅ２）コンテンツ出力装置が前記コンテンツ処理端末からのＦＭデータを復調して出力するステップと、
を含むことを特徴とする請求項１９に記載の方法。
【請求項２２】
前記ステップ（ｅ１）は、
前記デコードされたコンテンツを変復調してＦＭデータに変換すると共に、変換されたＦＭデータがラジオにおいて受信可能な周波数帯域を有するように選択的に変換するステップと、
前記選択されたチャンネルに無線送出するために前記ＦＭデータを高周波信号に変換し、前記変換されたＦＭ高周波データを無線送出するために所定のレベルに増幅した後に送出するステップと、
を含むことを特徴とする請求項２１に記載の方法。
【請求項２３】
前記ステップ（ｃ）は、前記ダウンロードされたコンテンツの再生要請を行う、既保存のコンテンツのうちユーザーによって選択されたコンテンツをストリーミングしつつ再生要請を行う、または、前記コンテンツ処理端末に保存されたコンテンツの再生要請を行うことを特徴とする請求項１９に記載の方法。
【発明の詳細な説明】
【技術分野】
【０００１】
本発明は、ＣＰＮＳ環境におけるコンテンツ出力システム及び方法に係り、さらに詳しくは、１）ユーザー端末がＣＰＮＳに対応できるコンテンツ再生端末からコンテンツ情報を受信し、既保存のコンテンツのうちの少なくとも一つを前記コンテンツ再生端末にダウンロードして前記コンテンツ再生端末とコンテンツを共有し、前記コンテンツ再生端末が前記ユーザー端末と近距離無線通信網を介して接続されて前記ユーザー端末からのコンテンツの再生要請に応じて当該コンテンツを外部スピーカーを通して出力するか、あるいは、当該コンテンツをデコードした後ＦＭデータに変換して送出し、コンテンツ出力装置が前記ＦＭデータを復調して出力するＣＰＮＳ環境におけるコンテンツ再生システム及び方法に関する。
【背景技術】
【０００２】
デジタル方式によりエンコードされたオーディオデータを再生可能な携帯用オーディオデータプレーヤー（以下、ＭＰ３プレーヤーと称する。）が頻用されている。より具体的に、半導体メモリ装置上に保存されたデジタル方式によりエンコードされたオーディオデータを処理できる比較的に小型のハンドヘルド装置が人気を集めている。
【０００３】
小型のハンドヘルド装置には、携帯電話、ＭＰ３（ＭＰｅｇ ａｕｄｉｏ ｌａｙｅｒ-３）プレーヤー、 パーソナルマルチメディアプレーヤー（ＰＭＰ：Ｐｅｒｓｏｎａｌ Ｍｕｌｔｉｍｅｄｉａ Ｐｌａｙｅｒ）、ウルトラモバイルパソコン（ＵＭＰＣ：Ｕｌｔｒａ Ｍｏｂｉｌｅ Ｐｅｒｓｏｎａｌ  Ｃｏｍｐｕｔｅｒ）などの様々なコンテンツ再生端末が用いられている。
【０００４】
この種のコンテンツ再生端末は、ハードメモリまたはフラッシュメモリなどに記録・保存されたオーディオファイルを読み出してデジタル信号を処理した後、高音質のオーディオを出力する。
【０００５】
一方、コンテンツ再生端末には、ユーザーが所望のコンテンツをパソコン（ＰＣ）を介してインターネットと接続してインターネットウェブサイトから無料または有料にて提供されるオーディオファイルをダウンロードできるインタフェース機能が設けられている。
【０００６】
これにより、ユーザーは、インターネットと接続されたパソコンを用いて、オーディオファイルを提供するインターネットウェブサイトを検索してそこに接続した後、自分の所望するオーディオファイルを、パソコンまたは前記パソコンと接続されたコンテンツ再生端末に選択的に書き込むことができるので、前記パソコンまたはコンテンツ再生端末を有するユーザーは、自分の所望するオーディオファイルをインターネットを介して簡単にダウンロードした後に再生・聴取することができる。
【０００７】
かかるコンテンツ再生端末は、ユーザーが所望するコンテンツをパソコン（ＰＣ）からダウンロードして再生するが、ユーザーが移動中であるか、あるいは、ＰＣとの接続が困難な環境では、所望のコンテンツのダウンロードを行うことができないという不都合がある。
【０００８】
このような不都合を解消するために、コンテンツ再生端末にブルートゥース、ウルトラワイドバンド（ＵＷＢ：Ｕｌｔｒａ Ｗｉｄｅ Ｂａｎｄ）などの近距離無線通信網に接続可能な通信手段を付加する技術が提案されている。
【０００９】
同技術によれば、近距離無線通信網を介して外部装置からコンテンツをダウンロードすることが可能である。
【００１０】
しかしながら、この方法は、外部装置に保存されたコンテンツのダウンロードは可能であるとはいえ、コンテンツ再生端末のスピーカーを通してコンテンツを出力するため、豊富なサウンド環境を提供することができないという欠点がある。
【００１１】
また、小型のコンテンツ再生端末のスピーカーを通してのコンテンツの聴取・鑑賞に際して、スピーカーの出力が低いため、良質のコンテンツを聴取・鑑賞することが困難である。
【００１２】
さらに、イヤホンまたはヘッドホンを用いて端末内に保存された音楽などのコンテンツを聴取・鑑賞する場合、車両など同じ空間にいる他人と音楽を共有することが困難であるだけではなく、運転者が運転に集中することを邪魔してしまい、これは、車両の安全事故を引き起こす原因となるという不都合がある。
【発明の概要】
【発明が解決しようとする課題】
【００１３】
本発明は上述した不都合を解消するためになされたものであり、その目的は、ユーザー端末から提供するコンテンツを通常の外部スピーカーに出力することのできるＣＰＮＳ環境におけるコンテンツ出力システム及び方法を提供するところにある。
【００１４】
本発明の他の目的は、ユーザー端末及びコンテンツ再生端末に保存されたコンテンツを互いに共有することのできるＣＰＮＳ環境におけるコンテンツ出力システム及び方法を提供するところにある。
【００１５】
本発明のさらに他の目的は、ユーザー端末に保存されたコンテンツのダウンロード及びリアルタイム再生を可能にしてコンテンツ再生端末の容量限界を克服することのできるＣＰＮＳ環境におけるコンテンツ出力システム及び方法を提供するところにある。
【００１６】
本発明のさらに他の目的は、スマートホンやパソコン（ＰＣ）に保存されているコンテンツファイルを無線にて伝送して遠隔にて他の媒体において再生することができるＣＰＮＳプロトコルが搭載されたコンテンツ再生端末及びコンテンツ再生方法を提供するところにある。これがＣＰＮＳ通信規約を大衆に知らせるきっかけとなって他の通信規約（ＤＬＮＡなど）に比べて市場占有率及び認知度を向上可能とする。
【００１７】
本発明のさらに他の目的は、ユーザー端末から提供するコンテンツを車両内ステレオシステムを用いて出力することのできるＣＰＮＳ環境におけるコンテンツ再生システム及び方法を提供するところにある。
【００１８】
本発明のさらに他の目的は、車両の運転中にもまるでラジオを通して音楽を聴くように楽に高音質のコンテンツを聴取・鑑賞することのできるＣＰＮＳ環境におけるコンテンツ再生システム及び方法を提供するところにある。
【課題を解決するための手段】
【００１９】
前記目的を達成するために、本発明の一実施形態によるＣＰＮＳ環境におけるコンテンツ出力システムは、コンバージェンスパーソナルネットワークサービス（ＣＰＮＳ）に対応できるコンテンツ再生端末を検索し、前記検索されたコンテンツ再生端末からコンテンツ情報を受信し、既保存のコンテンツのうちの少なくとも一つを前記コンテンツ再生端末にダウンロードして前記コンテンツ再生端末とコンテンツを共有し、前記共有されたコンテンツのうちユーザーによって選択されたコンテンツの再生要請（ｐｌａｙｂａｃｋ  ｒｅｑｕｅｓｔ）を行うユーザー端末と、前記ユーザー端末と近距離無線通信網を介して接続されて前記ユーザー端末とコンテンツを共有し、前記ユーザー端末からのコンテンツの再生要請に応じて当該コンテンツをコンテンツ出力装置を介して出力するコンテンツ再生端末と、前記コンテンツ再生端末から送られてくるコンテンツを出力するコンテンツ出力装置と、を備える。
【００２０】
本発明の一実施形態によるＣＰＮＳ環境におけるコンテンツ出力システムは、前記ユーザー端末または前記コンテンツ再生端末に保存されたコンテンツを互いにダウンロードしたり、再生したいコンテンツを遠隔にて選択したりするための遠隔制御装置をさらに備える。
【００２１】
本発明の一実施形態によるＣＰＮＳ環境におけるコンテンツ出力システムにおいて、前記コンテンツ出力装置は外部スピーカーである。
【００２２】
本発明の一実施形態によるＣＰＮＳ環境におけるコンテンツ出力システムにおいて、前記コンテンツ再生端末は、前記ユーザー端末からのコンテンツの再生要請に応じて当該コンテンツをデコードした後にＦＭデータに変換して送出し、前記コンテンツ出力装置は、前記コンテンツ処理端末からのＦＭデータをリアルタイムにて復調して出力する。
【００２３】
本発明の一実施形態によるＣＰＮＳ環境におけるコンテンツ出力システムにおいて、前記コンテンツ再生端末は、前記ＦＭデータを特定の周波数で送出する。
【００２４】
本発明の一実施形態によるユーザー端末は、近距離無線通信網を介して通信を行うための無線通信部と、コンテンツが保存された保存部と、ＣＰＮＳに対応できるコンテンツ再生端末を検索する端末検索部と、前記端末検索部において検索されたコンテンツ再生端末にコンテンツ情報を要請・受信し、前記保存部に保存されたコンテンツのうちの少なくとも一つを前記検索されたコンテンツ再生端末にダウンロードして前記コンテンツ再生端末とコンテンツを共有するコンテンツ共有処理部と、前記コンテンツ共有処理部によって共有されたコンテンツのうちユーザーによって選択されたコンテンツの再生要請を前記無線通信部を介して前記コンテンツ再生端末に伝送する再生要請部と、を備える。
【００２５】
本発明の一実施形態によるユーザー端末において、前記端末検索部は、前記検索されたコンテンツ再生端末から端末情報を受信して管理する。
【００２６】
本発明の一実施形態によるユーザー端末において、前記再生要請部は、前記コンテンツ共有処理部によってダウンロードされたコンテンツの再生要請を行う、前記保存部に保存されたコンテンツのうちユーザーによって選択されたコンテンツをストリーミングしつつ再生要請を行う、または、前記コンテンツ再生端末に保存されたコンテンツの再生要請を行う。
【００２７】
本発明の一実施形態によるコンテンツ再生端末は、近距離無線通信網を介して通信を行うための無線通信部と、コンテンツが保存された保存部と、前記無線通信部を介してユーザー端末からコンテンツをダウンロードし、前記保存部に保存されたコンテンツを前記ユーザー端末に伝送してコンテンツが共有されるようにするダウンロード処理部と、前記ダウンロード処理部を介して共有されたコンテンツのうち前記ユーザー端末によって再生要請が行われたコンテンツをデコードするデコード部と、前記デコードされたコンテンツをコンテンツ出力装置に送出する出力インタフェース部と、を備える。
【００２８】
本発明の一実施形態によるコンテンツ再生端末において、前記コンテンツ出力装置は外部スピーカーを使用し、出力インタフェース部はステレオジャックインタフェースである。
【００２９】
本発明の一実施形態によるコンテンツ再生端末は、前記無線通信部を介して前記ユーザー端末に端末情報を提供する端末情報提供部をさらに備える。
【００３０】
本発明の一実施形態によるコンテンツ再生端末は、前記デコードされたコンテンツをＦＭデータに変換するＦＭ変換部をさらに備え、前記出力インタフェース部は前記ＦＭ変換部において変換されたＦＭデータを特定の周波数を介して送出する。
【００３１】
本発明の一実施形態によるコンテンツ再生端末において、前記デコード部は、前記ユーザー端末からダウンロードされたコンテンツまたはストリーミングされるコンテンツをリアルタイムにてデコードする。
【００３２】
本発明の一実施形態によるコンテンツ再生端末において、前記ＦＭ変換部は、前記デコードされたコンテンツを変復調してＦＭデータに変換すると共に、変換されたＦＭデータがラジオにおいて受信可能な周波数帯域を有するように選択的に変換し、前記ＦＭ送出部は、前記ＦＭ変換部によって選択されたチャンネルに無線送出するために前記ＦＭデータを高周波信号に変換し、前記変換されたＦＭ高周波信号を無線送出するために所定のレベルに増幅した後に送出する。
【００３３】
本発明の一実施形態によるコンテンツ再生端末は、ユーザー命令の入力を受ける入力部と、前記入力部を介してコンテンツの再生要請が行われた場合、当該コンテンツをデコードして出力する再生部と、をさらに備える。
【００３４】
本発明の一実施形態によるコンテンツ再生端末において、前記再生部は、前記デコードされたコンテンツの外部スピーカーを通しての出力要請が行われた場合、前記出力インタフェース部を介して接続された外部スピーカーを通して前記デコードされたコンテンツを出力し、外部スピーカーを通しての出力が要請されない場合、自分のスピーカーを通して前記デコードされたコンテンツを出力する。
【００３５】
本発明の一実施形態によるコンテンツ再生端末において、前記入力部には、前記保存部に保存されたコンテンツの再生のための「再生」ボタン、「前へ」ボタン、「次へ」ボタン、「ボリュームアップ」ボタン及び「ボリュームダウン」ボタンが設けられている。
【００３６】
本発明の一実施形態によるコンテンツ再生端末において、前記再生部は、前記再生要請の行われたコンテンツの保有有無を判断し、前記再生要請の行われたコンテンツを保有している場合に前記保存部から当該コンテンツを取り出してデコードし、前記再生要請の行われたコンテンツを保有していない場合には前記ユーザー端末からダウンロードしてデコードする。
【００３７】
本発明の一実施形態によるＣＰＮＳ環境におけるコンテンツ出力方法は、（ａ）ユーザー端末がＣＰＮＳに対応できるコンテンツ再生端末を検索するステップと、（ｂ）前記ユーザー端末が前記検索されたコンテンツ再生端末からコンテンツ情報を受信し、既保存のコンテンツのうちの少なくとも一つを前記コンテンツ再生端末にダウンロードして前記コンテンツ再生端末とコンテンツを共有するステップと、（ｃ）前記ユーザー端末が前記共有されたコンテンツのうちユーザーによって選択されたコンテンツの再生を前記コンテンツ再生端末に要請するステップと、（ｄ）前記コンテンツ再生端末が前記再生要請の行われたコンテンツをデコードするステップと、（ｅ）前記コンテンツ再生端末が前記デコードされたコンテンツをコンテンツ出力装置を介して出力するステップと、を含む。
【００３８】
本発明の一実施形態によるＣＰＮＳ環境におけるコンテンツ出力方法において、前記コンテンツ出力装置は、前記コンテンツ再生端末にステレオジャックを介して接続された外部スピーカーである。
【００３９】
本発明の一実施形態によるＣＰＮＳ環境におけるコンテンツ出力方法において、前記ステップ（ｅ）は、（ｅ１）前記コンテンツ処理端末が前記デコードされたコンテンツをＦＭデータに変換して送出するステップと、（ｅ２）コンテンツ出力装置が前記コンテンツ処理端末からのＦＭデータを復調して出力するステップと、を含む。
【００４０】
本発明の一実施形態によるＣＰＮＳ環境におけるコンテンツ出力方法において、前記ステップ（ｅ１）は、前記デコードされたコンテンツを変復調してＦＭデータに変換すると共に、変換されたＦＭデータがラジオにおいて受信可能な周波数帯域を有するように選択的に変換するステップと、前記選択されたチャンネルに無線送出するために前記ＦＭデータを高周波信号に変換し、前記変換されたＦＭ高周波データを無線送出するために所定のレベルに増幅した後に送出するステップと、を含む。
【００４１】
本発明の一実施形態によるＣＰＮＳ環境におけるコンテンツ出力方法において、前記ステップ（ｃ）は、前記ダウンロードされたコンテンツの再生要請を行う、既保存のコンテンツのうちユーザーによって選択されたコンテンツをストリーミングしつつ再生要請を行う、または、前記コンテンツ処理端末に保存されたコンテンツの再生要請を行う。
【発明の効果】
【００４２】
本発明によれば、ユーザー端末から提供するコンテンツを通常の外部スピーカーに出力することができる。
【００４３】
また、ユーザー端末及びコンテンツ再生端末に保存されたコンテンツを互いに共有することができる。
【００４４】
さらに、ユーザー端末に保存されたコンテンツのダウンロード及びリアルタイム再生が行えるので、コンテンツ再生端末の容量限界を克服することができる。
【００４５】
さらに、コンテンツ再生端末を既存の外部スピーカーの入力端子に接続することでインターネットスピーカーとして活用することができ、ユーザーは、ネットワーク上のコンテンツをより一層豊富なサウンド環境で聴取することができる。
【００４６】
さらに、ＣＰＮＳを通して様々な装置同士のコンテンツの共有及びリアルタイム再生が行えるので、ユーザーのコンテンツの使い勝手が良くなる。
【００４７】
さらに、ユーザーは、スマートホンやパソコン（ＰＣ）に保存されているコンテンツファイルを無線にて伝送して遠隔にて他の媒体において再生することができ、これはＣＰＮＳ通信規約を大衆に知らせるきっかけとなって、他の通信規約（ＤＬＮＡなど）に比べて市場占有率および認知度に基づく比較優位を占めることができる。
【００４８】
さらに、他の通信規約であるＤＬＮＡとＣＰＮＳとを組み合わせて、使用機能の多様性及び使い勝手の向上を図ることができる。
【００４９】
さらに、ユーザー端末に保存されたコンテンツを周波数変調して無線にて送出すると、車両内のステレオシステムが周波数変調されたコンテンツを受信して出力するため、車両の運転中にもまるでラジオなどのステレオシステムを通して音楽を聴くように楽に高音質のコンテンツを聴取・鑑賞することができる。
【００５０】
さらに、ＣＰＮＳに対応できる端末のコンテンツをＷｉＦｉなどの近距離無線通信を介して受信した後にＦＭ送出することができ、ＣＰＮＳに対応できる様々な端末のコンテンツを車両内で手軽に聴くことができてユーザーの使い勝手がよくなる。
【図面の簡単な説明】
【００５１】
【図１】図１は、本発明の一実施形態に係るＣＰＮＳ環境における外部スピーカーを通してのコンテンツ出力システムを示す図。
【図２】図２は、本発明の一実施形態に係るユーザー端末の構成を概略に示すブロック図。
【図３】図３は、本発明の一実施形態に係るコンテンツ再生端末の構成を概略に示すブロック図。
【図４】図４は、本発明の一実施形態に係るＣＰＮＳ環境における外部スピーカーを通してのコンテンツ出力方法を示すシーケンス図。
【図５】図５は、本発明の一実施形態に係るＣＰＮＳ環境における外部スピーカーを通してのコンテンツ出力方法を示すシーケンス図。
【図６】図６は、本発明の一実施形態に係るＣＰＮＳ環境におけるコンテンツ再生システムを示す図。
【図７】図７は、本発明の一実施形態に係るＣＰＮＳプロトコル搭載型コンテンツ再生端末の構成を概略に示すブロック図。
【図８】図８は、本発明の一実施形態に係るコンテンツ再生端末がコンテンツを再生する方法を示すフローチャート。
【図９】図９は、本発明の一実施形態に係るコンテンツ再生端末がコンテンツを再生する方法を示すフローチャート。
【図１０】図１０は、本発明の一実施形態に係るコンテンツ再生端末がコンテンツを再生するための方法を示すシーケンス図。
【図１１】図１１は、本発明の一実施形態に係るＣＰＮＳ環境におけるＦＭ送出を通してのコンテンツ再生システムを示す図。
【図１２】図１２は、本発明の一実施形態に係るコンテンツ再生端末の構成を概略に示すブロック図。
【図１３】図１３は、本発明の一実施形態に係るコンテンツ出力装置の構成を概略に示すブロック図。
【図１４】図１４は、本発明のＣＰＮＳ環境におけるＦＭ送出を通してのコンテンツ再生方法を示すシーケンス図。
【図１５】図１５は、本発明のＣＰＮＳ環境におけるＦＭ送出を通してのコンテンツ再生方法を示すシーケンス図。
【発明を実施するための形態】
【００５２】
本発明の上述した目的と技術的構成及びこれに係わる作用効果に関する具体的な事項は、本発明の明細書への添付図面に基づく詳細な説明によって一層明確に理解できるであろう。
【００５３】
本発明におけるコンバージェンスパーソナルネットワークサービス（ＣＰＮＳ：Ｃｏｎｖｅｒｇｅｄ Ｐｅｒｓｏｎａｌ Ｎｅｔｗｏｒｋ Ｓｅｒｖｉｃｅ）環境とは、近距離無線通信は行えるものの、移動通信網とのセルラー通信は行えない携帯用端末がパーソナルネットワーク（ＰＮ：Ｐｅｒｓｏｎａｌ  Ｎｅｔｗｏｒｋ）ゲートウェイの役割を果たす移動通信端末と近距離無線通信を行うことで、セルラー通信を通して提供可能なデータサービスを利用できるようにするものである。
【００５４】
本発明の一実施形態に係るＣＰＮＳ環境におけるコンテンツ出力システムのうち、コンテンツ出力装置として外部スピーカーが接続された場合を述べる。
【００５５】
図１は、本発明の一実施形態に係るＣＰＮＳ環境におけるコンテンツ出力システムのうち、コンテンツ出力装置として外部スピーカーが接続された場合を示す図である。
【００５６】
図１を参照すると、ＣＰＮＳ環境におけるコンテンツ出力システムは、ユーザー端末１００と、前記ユーザー端末１００と近距離無線通信網を介して接続されたコンテンツ再生端末２００と、前記コンテンツ再生端末２００とステレオジャックを介して接続された外部スピーカー３００と、を備える。
【００５７】
前記ユーザー端末１００は、ＣＰＮＳに対応できるコンテンツ再生端末２００を検索し、前記検索されたコンテンツ再生端末２００からコンテンツ情報を受信し、既保存のコンテンツのうちの少なくとも一つを前記コンテンツ再生端末２００にダウンロードして前記コンテンツ再生端末２００とコンテンツを共有する。
【００５８】
また、前記ユーザー端末１００は、前記コンテンツ再生端末２００にユーザーによって選択されたコンテンツの再生要請を行う。
【００５９】
さらに、図１には一つのユーザー端末１００のみ示してあるが、ＣＰＮＳに対応できる複数のユーザー端末が存在することもある。
【００６０】
上記の役割を果たすユーザー端末１００とは、パソコン（ＰＣ）、移動通信端末などのことをいい、前記ユーザー端末１００についての詳細な説明は図２に基づいて行う。
【００６１】
前記コンテンツ再生端末２００は、前記ユーザー端末１００と近距離無線通信網を介して接続されて、前記ユーザー端末１００とコンテンツを共有し、前記ユーザー端末１００からのコンテンツの再生要請に応じて当該コンテンツをデコードした後、ステレオジャックを介して接続された外部スピーカー３００を通して出力する。
【００６２】
前記コンテンツ再生端末２００はステレオジャックを備えており、外部スピーカー３００の入力端子に前記ステレオジャックを接続して前記外部スピーカー３００と簡単に接続することができる。
【００６３】
前記コンテンツ再生端末２００とは、パーソナルマルチメディアプレーヤー（ＰＭＰ）、ＭＰ３プレーヤー、カーナビゲーション端末、携帯電話、ゲーム機などの近距離無線通信機能を有する携帯用端末のことを言う。
【００６４】
前記外部スピーカー３００とは、車両に設けられたスピーカー、ドルビーシステムなどに設けられたスピーカーなどのことを言う。
【００６５】
上記のコンテンツ再生端末２００に関する詳細な説明は、図３に基づいて行う。
【００６６】
前記ユーザー端末１００および複数のコンテンツ再生端末２００は１つのグループとして結ばれて近距離無線通信網を介して互いに情報を送受信し、移動通信網との通信も行うことができる。ここで、近距離無線通信網とは、ＷｉＦｉ、Ｗｉｂｒｏ、無線ＬＡＮ、ブルートゥース、ウルトラワイドバンド（ＵＷＢ）などをはじめとして近距離無線通信が行えるあらゆる通信網を含むものとする。
【００６７】
図示はしないが、ＣＰＮＳ環境におけるコンテンツ出力システムは、共有されたコンテンツを互いにダウンロードしたり、再生したいコンテンツを遠隔にて選択したりするための遠隔制御装置（図示せず）をさらに備える。前記遠隔制御装置とは、移動通信端末、リモコンなどをいう。
【００６８】
例えば、前記遠隔制御装置が移動通信端末である場合、前記移動通信端末は移動通信網または近距離無線通信網を介して前記ユーザー端末１００または前記コンテンツ再生端末２００と接続してコンテンツのダウンロード、再生要請などの命令の入力を行うことができる。
【００６９】
図２は、本発明の実施形態に係るユーザー端末の構成を概略に示すブロック図である。
【００７０】
図２を参照すると、ユーザー端末１００は、近距離無線通信網を介して通信を行うための無線通信部１０２と、コンテンツが保存された保存部１０４と、表示部１０６と、入力部１１４と、端末検索部１０８と、コンテンツ共有処理部１１０と、再生要請部１１２と、を備える。
【００７１】
前記無線通信部１０２は、ＷｉＦｉ、Ｗｉｂｒｏ、無線ＬＡＮ、ブルートゥース、ウルトラワイドバンド（ＵＷＢ）などをはじめとする近距離無線通信モジュールを備えている。
【００７２】
前記入力部１１４は、ユーザーからのコンテンツのダウンロード、コンテンツの再生要請などの命令の入力を受ける役割を果たす。
【００７３】
前記表示部１０６には、前記保存部１０４に保存されたコンテンツ一覧、前記コンテンツ共有処理部１１０によって共有処理されたコンテンツ一覧が表示される。ユーザーは、前記表示部１０６に表示されたコンテンツ一覧を確認し、所望のコンテンツを選択して再生要請を行うことができる。
【００７４】
前記端末検索部１０８は、ＣＰＮＳに対応できるコンテンツ再生端末を検索し、前記検索されたコンテンツ再生端末から端末情報を受信して管理する。ここで、前記端末情報とは、コンテンツ再生端末のＩＤ、提供されたサービスなどのことをいう。
【００７５】
すなわち、前記端末検索部１０８は、ＣＰＮＳサービスを利用するために、パーソナルネット（ＰＮ：Ｐｅｒｓｏｎａｌ Ｎｅｔｗｏｒｋ）ゲートウェイの役割を果たすコンテンツ再生端末を検索する。
【００７６】
前記コンテンツ共有処理部１１０は、前記端末検索部１０８において検索されたコンテンツ再生端末にコンテンツ情報を要請・受信し、前記保存部１０４に保存されたコンテンツのうちの少なくとも一つを前記検索されたコンテンツ再生端末にダウンロードして前記ユーザー端末とコンテンツを共有する。このため、前記コンテンツ共有処理部１１０によってユーザー端末は前記コンテンツ再生端末と同じコンテンツを保有することとなる。
【００７７】
前記再生要請部１１２は、前記コンテンツ共有処理部１１０によって共有されたコンテンツのうちユーザーによって選択されたコンテンツの再生要請を前記無線通信部１０２を介して前記コンテンツ再生端末に伝送する。
【００７８】
すなわち、前記再生要請部１１２は、ユーザーによって遠隔制御装置またはユーザー端末において選択されたコンテンツの再生要請を行う再生要請メッセージを前記無線通信部１０２を介して前記コンテンツ再生端末に伝送する。
【００７９】
このとき、ユーザーは、前記コンテンツ共有処理部１１０によってコンテンツ再生端末にダウンロードされたコンテンツの再生要請を行ってもよく、前記保存部１０４に保存されたコンテンツのうちユーザーによって選択されたコンテンツをストリーミングしつつ再生要請を行っても良い。
【００８０】
また、前記ユーザーは、前記コンテンツ再生端末に保存されたコンテンツの再生要請を行っても良い。
【００８１】
図３は、本発明の一実施形態に係るコンテンツ再生端末の構成を概略に示すブロック図である。
【００８２】
図３を参照すると、コンテンツ再生端末２００は、近距離無線通信網を介して通信を行うための無線通信部２０２と、コンテンツが保存された保存部２０４と、ダウンロード処理部２０８と、デコード部２１０と、再生部２１２と、ステレオジャックインタフェース部２１４と、を備える。
【００８３】
前記ダウンロード処理部２０８は、前記無線通信部２０２を介してユーザー端末からコンテンツをダウンロードし、前記保存部２０４に保存されたコンテンツを前記ユーザー端末に伝送して前記ユーザー端末とコンテンツを共有する。
【００８４】
すなわち、前記ダウンロード処理部２０８は、前記ユーザー端末からダウンロードされたコンテンツを前記保存部２０４に保存したり、前記保存部２０４に保存されたコンテンツを前記ユーザー端末に提供して前記ユーザー端末とコンテンツを共有する。このため、前記ダウンロード処理部１１０によってコンテンツ再生端末は前記ユーザー端末と同じコンテンツを保有する。
【００８５】
前記デコード部２１０は、前記ユーザー端末によって再生要請が行われたコンテンツをデコードする。すなわち、前記デコード部２１０は、前記ユーザー端末からダウンロードされたコンテンツまたはストリーミングされるコンテンツをデコードした後、前記ステレオジャックインタフェース部２１４を介して接続された外部スピーカーを通して出力する。
【００８６】
前記ステレオジャックインタフェース部２１４は、前記デコードされたコンテンツが外部スピーカーを通して出力されるように前記外部スピーカーとのインタフェースを提供する役割を果たす。
【００８７】
すなわち、前記ステレオジャックインタフェース部２１４は、前記外部スピーカーの入力端子にステレオジャックを介して接続されて、前記デコード部２１０においてデコードされたコンテンツを前記ステレオジャックを介して前記外部スピーカーに渡し、前記外部スピーカーを通してコンテンツが出力されるようにする。
【００８８】
前記再生部２１２は、前記ステレオジャックインタフェース部２１４を介して外部スピーカーと接続されていない場合、前記デコード部２１０においてデコードされたコンテンツを再生・出力する役割を果たす。
【００８９】
前記コンテンツ再生端末２００は、前記無線通信部２０２を介して前記ユーザー端末に端末情報を提供する端末情報提供部２０６をさらに備えていてもよい。
【００９０】
図４は、本発明の一実施形態に係るＣＰＮＳ環境における外部スピーカーを通してのコンテンツ出力方法を示すシーケンス図である。
【００９１】
図４を参照すると、ユーザー端末は、ＰＮＳに対応できるコンテンツ再生端末を検索し（Ｓ４００）、前記検索されたコンテンツ再生端末から端末情報を受信する（Ｓ４０２）。このとき、前記ユーザー端末および前記コンテンツ再生端末はＣＰＮＳサービスのための初期設定過程を経る。
【００９２】
すなわち、前記コンテンツ再生端末は、ＣＰＮＳサービスを利用するために、パーソナルネットワーク（ＰＮ：Ｐｅｒｓｏｎａｌ Ｎｅｔｗｏｒｋ）ゲートウェイデバイスの役割を果たすユーザー端末を検索する。この後、前記ユーザー端末は、前記コンテンツ再生端末からの端末情報を用いて前記コンテンツ再生端末のＣＰＮＳサービス利用可否をチェックする。前記チェックの結果、ＣＰＮＳサービスが利用可能である場合、前記ユーザー端末は前記コンテンツ再生端末にＣＰＮＳサービスが利用可能である旨の認証メッセージを伝送する。前記コンテンツ再生端末は、前記ユーザー端末からＣＰＮＳサービスが利用可能である旨の認証メッセージを受信すると、自分のＩＤを伝送する。
【００９３】
前記ユーザー端末は、前記コンテンツ再生端末から送られてくるＩＤのフォーマットがＣＰＮＳから発給されたＩＤフォーマットと一致するかどうかをチェックして、フォーマットが一致する場合、コンテンツ再生端末にサービスが利用可能である旨の認証メッセージを伝送する。
【００９４】
上述したように、ユーザー端末と前記コンテンツ再生端末との間のＣＰＮＳサービスのための初期設定過程が行われると、前記ユーザー端末は、ユーザーによって選択されたコンテンツ再生端末にコンテンツ情報を要請し（Ｓ４０４）、前記コンテンツ再生端末は、コンテンツ情報の要請に応じて、既保存のコンテンツ情報を前記ユーザー端末に伝送する（Ｓ４０６）。前記ユーザー端末に伝送されるコンテンツ情報は、コンテンツ一覧及び当該コンテンツ内容をいずれも含む。
【００９５】
前記Ｓ４０６を行った後、前記ユーザー端末は、ユーザーによって選択されたコンテンツを前記コンテンツ再生端末にダウンロードする（Ｓ４０８）。すなわち、前記ユーザーは、ユーザー端末に保存されたコンテンツのうち再生したいコンテンツを選択して前記コンテンツ再生端末にダウンロードする。
【００９６】
このとき、前記ユーザー端末は、再生したいコンテンツだけではなく、既保存のコンテンツを全て前記コンテンツ再生端末にダウンロードすることができる。
【００９７】
前記Ｓ４０８を行った後、前記ユーザー端末は、前記ダウンロードしたコンテンツの再生要請を行うコンテンツ再生要請信号を前記コンテンツ再生端末に伝送する（Ｓ４０９）。ここで、前記コンテンツ再生要請信号は、ダウンロードしたコンテンツ情報などを含む。
【００９８】
前記Ｓ４０９が行われると、前記コンテンツ再生端末は、前記コンテンツの再生要請に応じて当該コンテンツをデコードし（Ｓ４１０）、前記デコードされたコンテンツをステレオジャックを介して接続された外部スピーカーに伝送する（Ｓ４１２）。
【００９９】
前記外部スピーカーは、前記コンテンツ再生端末から送られてくるコンテンツを増幅して出力する（Ｓ４１４）。
【０１００】
このようにコンテンツ再生装置がネットワークに接続可能になると、ユーザー端末の大容量ＨＤＤ上に存在する音源やＭＰ３を提供するサーバー上の音源データをダウンロードしてリアルタイムにて再生することができるので、既存のコンテンツ再生装置の容量限界を克服することができ、使い勝手がよくなる。
【０１０１】
また、コンテンツ再生装置を既存の外部スピーカーの入力端子に接続することでインターネットスピーカーとして活用することができ、ユーザーは、ネットワーク上のコンテンツをより一層豊富なサウンド環境で聴くことができる。
【０１０２】
図５は、本発明の一実施形態に係るＣＰＮＳ環境における外部スピーカーを通してのコンテンツ出力方法を示すシーケンス図である。
【０１０３】
図５を参照すると、ユーザー端末は、ＣＰＮＳに対応できるコンテンツ再生端末を検索し（Ｓ５００）、前記検索されたコンテンツ再生端末から端末情報を受信する（Ｓ５０２）。このとき、前記ユーザー端末および前記コンテンツ再生端末は、ＣＰＮＳサービスのための初期設定過程を経る。
【０１０４】
しかる後、前記ユーザー端末は、ユーザーによって選択されたコンテンツ再生端末にコンテンツ情報を要請し（Ｓ５０４）、前記コンテンツ再生端末は、コンテンツ情報の要請に応じて、既保存のコンテンツ情報を前記ユーザー端末に伝送する（Ｓ５０６）。前記ユーザー端末に送られてくるコンテンツ情報は、コンテンツ一覧及び当該コンテンツ内容をいずれも含む。
【０１０５】
前記ユーザーは、前記コンテンツ再生端末から受信されたコンテンツ情報及び既保存のコンテンツ一覧を確認して再生したいコンテンツを選択する。
【０１０６】
前記Ｓ５０６を行った後、前記ユーザー端末は、ユーザーによって再生したいコンテンツが選択されると（Ｓ５０８）、前記コンテンツ再生端末に前記選択されたコンテンツの再生要請を行う（Ｓ５１０）。
【０１０７】
このとき、前記ユーザー端末は、コンテンツの再生要請を行うためのコンテンツ再生要請信号を前記コンテンツ再生端末に伝送する。ここで、前記コンテンツ再生要請信号は、再生要請の行われたコンテンツ一覧を含む。
【０１０８】
前記ユーザーは、前記コンテンツ再生端末から受信されたコンテンツまたは既保存のコンテンツのうち再生したいコンテンツを選択することができる。このとき、選択されたコンテンツは、ユーザー端末にのみ保存されたコンテンツ、コンテンツ再生端末にのみ保存されたコンテンツ、両方の端末に保存されたコンテンツのうちの少なくとも一つである。
【０１０９】
例えば、前記選択されたコンテンツがユーザー端末にのみ保存されたコンテンツであれば、前記ユーザー端末は、前記選択されたコンテンツを前記コンテンツ再生端末にダウンロードまたはストリーミングして再生要請を行う。
【０１１０】
前記Ｓ５１０を行った後、前記コンテンツ再生端末は、前記ユーザー端末によって再生要請が行われたコンテンツの保有有無を判断する（Ｓ５１２）。
【０１１１】
前記判断の結果、前記再生要請の行われたコンテンツを保有している場合、前記コンテンツ再生端末は当該コンテンツを取り出してデコードし、前記再生要請の行われたコンテンツを保有していない場合には、前記ユーザー端末からダウンロードしてデコードする（Ｓ５１３）。
【０１１２】
前記Ｓ５１３が行われると、前記コンテンツ再生端末は、前記デコードされたコンテンツをステレオジャックを介して接続された外部スピーカーに伝送し（Ｓ５１４）、前記外部スピーカーは、前記コンテンツ再生端末から送られてくるコンテンツを増幅して出力する（Ｓ５１６）。
【０１１３】
以下、本発明の一実施形態に係るＣＰＮＳ環境におけるコンテンツ再生システムについて述べる。
【０１１４】
図６は、本発明の一実施形態に係るＣＰＮＳ環境におけるコンテンツ再生システムを示す図である。
【０１１５】
図６を参照すると、ＣＰＮＳ環境におけるコンテンツ再生システムは、ユーザー端末１００と、前記ユーザー端末１００と近距離無線通信網を介して接続されたコンテンツ再生端末７００と、を備える。
【０１１６】
また、ＣＰＮＳ環境におけるコンテンツ再生システムは、前記コンテンツ再生端末７００と接続されたコンテンツ出力装置８００をさらに備えていてもよい。
【０１１７】
前記ユーザー端末１００は、ＣＰＮＳに対応できるコンテンツ再生端末７００を検索し、前記検索されたコンテンツ再生端末７００からコンテンツ情報を受信し、既保存のコンテンツのうちの少なくとも一つを前記コンテンツ再生端末７００にダウンロードして前記コンテンツ再生端末７００とコンテンツを共有する。
【０１１８】
さらに、前記ユーザー端末１００は、前記コンテンツ再生端末７００にユーザーによって選択されたコンテンツの再生要請を行う。このとき、前記ユーザー端末１００は、前記ユーザーによって選択されたコンテンツの一覧のみを前記コンテンツ再生端末７００に伝送して当該コンテンツの再生を要請してもよく、前記ユーザーによって選択されたコンテンツをストリーミングしつつ再生を要請してもよい。
【０１１９】
同図には一つのユーザー端末１００のみを示しているが、ＣＰＮＳに対応できる複数のユーザー端末が存在することもある。
【０１２０】
上述した役割を果たすユーザー端末１００とは、ＣＰＮＳプロトコル搭載型パソコン（ＰＣ）、移動通信端末などのことをいう。
【０１２１】
前記コンテンツ再生端末７００は、前記ユーザー端末１００と近距離無線通信網を介して接続されて、前記ユーザー端末１００とコンテンツを共有し、前記ユーザー端末１００または既設の入力部からのコンテンツの再生要請に応じて当該コンテンツをデコードした後、ステレオジャックを介して接続された外部スピーカー８００または既設のスピーカーを通して出力する。このとき、前記コンテンツ再生端末７００は、ユーザーによって再生要請が行われたコンテンツの保有有無を判断し、前記再生要請の行われたコンテンツを保有している場合に当該コンテンツを取り出してデコードし、前記再生要請の行われたコンテンツを保有していない場合には前記ユーザー端末１００からダウンロードしてデコードする。
【０１２２】
また、前記コンテンツ再生端末７００は、ＣＰＮＳ通信規約に基づき、同じネットワークに存在する少なくとも一つのユーザー端末１００からコンテンツをダウンロードし、既保存のコンテンツを前記ユーザー端末１００に伝送して前記ユーザー端末１００とコンテンツを共有する。
【０１２３】
さらに、前記コンテンツ再生端末７００はステレオジャックを備えており、外部スピーカーの入力端子に前記ステレオジャックを接続して前記外部スピーカーと簡単に接続することができる。ここで、前記外部スピーカーとは、車両に設けられたスピーカー、ドルビーシステムなどに設けられたスピーカーなどのことを言う。
【０１２４】
前記コンテンツ再生端末７００とは、パーソナルマルチメディアプレーヤー（ＰＭＰ）、ＭＰ３プレーヤー、カーナビゲーション端末、携帯電話、ゲーム機などのように近距離無線通信機能を有する携帯用端末のことをいう。
【０１２５】
上述したコンテンツ再生端末７００に関する詳細な説明は、図７に基づいて行う。前記ユーザー端末１００及びコンテンツ再生端末７００は一つのグループとして結ばれて 近距離無線通信網を介して互いに情報を送受信し、移動通信網との通信も行うことができる。ここで、近距離無線通信網は、ＷｉＦｉ、Ｗｉｂｒｏ、無線ＬＡＮ、ブルートゥース、ウルトラワイドバンド（ＵＷＢ）などをはじめとして近距離無線通信が行えるあらゆる通信網を含むものとする。
【０１２６】
例えば、近距離無線通信網がＷｉＦｉである場合、前記ユーザー端末１００および前記コンテンツ再生端末７００は、無線共有機や公共ＡＰを介して無線ＬＡＮ接続可能なインフラストラクチャモードまたは共有機や公共ＡＰを介さずに無線アダプタ付きＰＣ間無線ＬＡＮ接続可能なアドホック（Ａｄｈｏｃ）モードで接続される。
【０１２７】
図示はしないが、ＣＰＮＳ環境におけるコンテンツ再生システムは、共有されたコンテンツをダウンロードしたり、または、再生したいコンテンツを遠隔にて選択するための遠隔制御装置（図示せず）をさらに備えていてもよい。ここで、前記遠隔制御装置とは、移動通信端末、リモコンなどのことを言う。
【０１２８】
例えば、前記遠隔制御装置が移動通信端末である場合、前記移動通信端末は、移動通信網または近距離無線通信網を介して前記ユーザー端末１００または前記コンテンツ再生端末７００と接続してコンテンツのダウンロード、再生要請などの命令の入力を受けることができる。
【０１２９】
図７は、本発明の一実施形態に係るＣＰＮＳ環境におけるコンテンツ再生端末の構成を概略的に示すブロック図である。
【０１３０】
図７を参照すると、ＣＰＮＳプロトコル搭載型コンテンツ再生端末７００は、近距離無線通信網を介して通信を行うための無線通信部７０２と、ユーザー命令の入力を受ける入力部７０４と、ダウンロード処理部７０６と、再生部７０８と、ステレオジャックインタフェース部７１０と、コンテンツが保存された保存部７１２と、電源供給のための電源部７１４と、を備える。
【０１３１】
前記無線通信部７０２は、無線共有機や公共ＡＰを介して無線ＬＡＮ接続可能なインフラストラクチャモード、または共有機や公共ＡＰを介さずに無線アダプタ付きＰＣ間無線ＬＡＮ接続可能なアドホック（Ａｄｈｏｃ）モードである。
【０１３２】
前記入力部７０４には、前記保存部７１２に保存されたコンテンツの再生のための「再生」ボタン、「前へ」ボタン、「次へ」ボタン、「ボリュームアップ」ボタン、「ボリュームダウン」ボタンなどが設けられている。
【０１３３】
このため、ユーザーは、入力部７０４の各ボタンを用いて再生したいコンテンツの選択及び再生要請、ボリューム調節などを行うことができる。
【０１３４】
前記ダウンロード処理部７０６はＣＰＮＳ通信プロトコルに関して同一のネットワークに存在する少なくとも一つのユーザー端末からコンテンツをダウンロードし、前記保存部７１２に保存されたコンテンツを前記ユーザー端末に伝送して前記ユーザー端末とコンテンツが共有されるようにする。すなわち、前記ダウンロード処理部７０６は、スマートホンやパソコン（ＰＣ）などのユーザー端末に保存されているコンテンツを無線にてダウンロードして前記保存部７１２に保存することができる。
【０１３５】
前記再生部７０８は、前記入力部７０４を介してコンテンツの再生要請が行われた場合、前記保存部７１２から当該コンテンツを取り出して再生する。すなわち、前記再生部７０８は、再生要請の行われたコンテンツを前記保存部７１２から取り出してデコードした後、既設のスピーカー（図示せず）または外部スピーカーを通して出力する。
【０１３６】
また、前記再生部７０８は、前記再生要請の行われたコンテンツの保有有無を判断し、前記再生要請の行われたコンテンツを保有している場合に前記保存部７１２から当該コンテンツを取り出してデコードし、前記再生要請の行われたコンテンツを保有していない場合には前記ユーザー端末からダウンロードしてデコードする。
【０１３７】
さらに、前記再生部７０８は、前記デコードされたコンテンツの外部スピーカーを通しての出力要請が行われた場合、前記ステレオジャックインタフェース部７１０を介して接続された外部スピーカーを通して当該コンテンツを出力する。
【０１３８】
前記ステレオジャックインタフェース部７０８は、前記再生部７０８において再生されたコンテンツが外部スピーカーを通して出力されるように前記外部スピーカーとのインタフェースを提供する役割を果たす。すなわち、前記ステレオジャックインタフェース部７０８は、前記外部スピーカーの入力端子にステレオジャックを介して接続して、前記再生部７０８においてデコードされたコンテンツを前記ステレオジャックを介して前記外部スピーカーに渡し、前記外部スピーカーを通してコンテンツが出力されるようにする。ここで、前記ステレオジャックは、例えば、３．５ステレオジャックであってもよい。
【０１３９】
前記保存部７１２には、前記無線通信部７０２を介してユーザー端末からダウンロードされたコンテンツが保存される。
【０１４０】
前記コンテンツ再生端末７００は、前記無線通信部７０２を介して前記ユーザー端末にドングル情報を提供するドングル情報提供部（図示せず）をさらに備えていてもよい。
【０１４１】
さらに、前記コンテンツ再生端末７００は、コンテンツ一覧、コンテンツ内容などを表示する表示部（図示せず）をさらに備えていてもよい。
【０１４２】
さらに、以上では、コンテンツ再生端末７００がステレオジャックを介して外部スピーカーと接続される場合のみを説明したが、ＵＳＢを用いて外部スピーカーと接続されることも可能である。
【０１４３】
図８は、図７に示すコンテンツ再生端末がコンテンツを再生する方法を示すフローチャートである。
【０１４４】
図８を参照すると、コンテンツ再生端末は、ＣＰＮＳ環境下でＣＰＮＳに対応できるユーザー端末にコンテンツ情報を伝送し、且つ、前記ユーザー端末からコンテンツをダウンロードして前記ユーザー端末とコンテンツを共有する（Ｓ８００）。このとき、前記ユーザー端末および前記コンテンツ再生端末はＣＰＮＳサービスのための初期設定過程を経る。
【０１４５】
すなわち、前記コンテンツ再生端末は、ＣＰＮＳサービスを利用するために、パーソナルネットワーク（ＰＮ：Ｐｅｒｓｏｎａｌ Ｎｅｔｗｏｒｋ）ゲートウェイデバイスの役割を果たすユーザー端末を検索する。しかる後、前記ユーザー端末は、前記コンテンツ再生端末からのドングル情報を用いて前記コンテンツ再生端末のＣＰＮＳサービス利用可否をチェックする。前記チェックの結果、ＣＰＮＳサービスが利用可能である場合、前記ユーザー端末は、前記コンテンツ再生端末にＣＰＮＳサービスが利用可能である旨の認証メッセージを伝送する。前記コンテンツ再生端末は、前記ユーザー端末からＣＰＮＳサービスが利用可能である旨の認証メッセージを受信すると、自分のＩＤを伝送する。
【０１４６】
前記ユーザー端末は、前記コンテンツ再生端末から送られてくるＩＤのフォーマットがＣＰＮＳから発給したＩＤフォーマットと一致するかどうかをチェックして、フォーマットが一致する場合、コンテンツ再生端末にサービスが利用可能である旨の認証メッセージを伝送する。
【０１４７】
このようにしてユーザー端末と前記コンテンツ再生端末との間のＣＰＮＳサービスのための初期設定過程が行われると、前記コンテンツ再生端末は、ユーザーによって選択されたユーザー端末にコンテンツ情報を要請して受信する。前記コンテンツ再生端末に送られてくるコンテンツ情報は、コンテンツ一覧及び当該コンテンツ内容をいずれも含む。
【０１４８】
前記Ｓ８００を行った後、前記コンテンツ再生端末は、前記共有されたコンテンツのうちの少なくとも一つのコンテンツの再生要請が行われたかどうかを判断する（Ｓ８０２）。
【０１４９】
すなわち、前記ユーザーは、コンテンツ再生端末に設けられた入力部または遠隔制御装置を用いて再生したいコンテンツを選択する。このとき、前記選択されたコンテンツは、ユーザー端末とコンテンツ再生端末とが共有するコンテンツであり、前記ユーザー端末および前記コンテンツ再生端末に保存されたコンテンツは同じものである。
【０１５０】
前記Ｓ８０２における判断の結果、コンテンツの再生要請が行われた場合、前記コンテンツ再生端末は当該コンテンツを取り出してデコードする（Ｓ８０４）。前記再生要請の行われたコンテンツは、前記ユーザー端末からダウンロードされたコンテンツであってもよく、自分の保存部に保存されたコンテンツであってもよい。
【０１５１】
前記Ｓ８０４を行った後、前記コンテンツ再生端末は、前記デコードされたコンテンツの外部スピーカーを通しての出力の要請が行われたかどうかを判断する（Ｓ８０６）。
【０１５２】
前記Ｓ８０６における判断の結果、外部スピーカーを通しての出力要請が行われた場合、前記コンテンツ再生端末は、ステレオジャックを介して接続された外部スピーカーを通して当該コンテンツを出力する（Ｓ８０８）。
【０１５３】
もし、前記Ｓ８０６における判断の結果、外部スピーカーを通しての出力の要請が行われていない場合、前記コンテンツ再生端末は、自分のスピーカーを通して当該コンテンツを出力する（Ｓ８１０）。このとき、前記ユーザーは、既設の入力部を介してボリュームなどを調節することができる。
【０１５４】
図９は、図７に示すコンテンツ再生端末がコンテンツを再生する方法を示すフローチャートである。
【０１５５】
図９を参照すると、コンテンツ再生端末は、ＣＰＮＳに対応できるユーザー端末を検索して前記検索されたユーザー端末にコンテンツ一覧情報を要請・受信する（Ｓ９００）。
【０１５６】
しかる後、前記コンテンツ再生端末は、既設の入力部を介してコンテンツの再生要請が行われると（Ｓ９０２）、前記再生要請の行われたコンテンツの保有有無を判断する（Ｓ９０４）。すなわち、ユーザーは、前記ユーザー端末から受信したコンテンツ一覧のうちの一つを選択してコンテンツの再生要請を行うか、あるいは、自分の保存部に保存されたコンテンツを選択して再生要請を行うことができるため、前記コンテンツ再生端末は、再生要請の行われたコンテンツの保有有無を判断する。
【０１５７】
前記Ｓ９０４における判断の結果、前記再生要請の行われたコンテンツを保有している場合に、前記コンテンツ再生端末は当該コンテンツを取り出してデコードし（Ｓ９０６）、前記デコードされたコンテンツの外部スピーカーを通しての出力要請が行われたかどうかを判断する（Ｓ９０８）。
【０１５８】
前記Ｓ９０８における判断の結果、外部スピーカーを通しての出力要請が行われた場合、前記コンテンツ再生端末は、ステレオジャックを介して接続された外部スピーカーを通して前記デコードされたコンテンツを出力する（Ｓ９１０）。
【０１５９】
もし、前記Ｓ９０８における判断の結果、外部スピーカーを通しての出力要請が行われていない場合、前記コンテンツ再生端末は、自分のスピーカーを通して前記デコードされたコンテンツを出力する（Ｓ９１２）。
【０１６０】
もし、前記Ｓ９０４における判断の結果、前記再生要請の行われたコンテンツを保有していない場合、前記コンテンツ再生端末は、前記ユーザー端末から当該コンテンツをダウンロードしてデコードする（Ｓ９１４）。しかる後、前記コンテンツ再生端末は前記Ｓ９０８を行う。
【０１６１】
本発明の他の実施形態に係るＣＰＮＳプロトコル搭載型コンテンツ再生端末は、近距離無線通信網を介して通信を行うための無線通信部と、コンテンツ処理部と、デコード部と、ステレオジャックインタフェース部と、電源供給のための電源部と、を備える。
【０１６２】
前記無線通信部は、無線共有機や公共ＡＰを介して無線ＬＡＮ接続可能なインフラストラクチャモードであってもよく、共有機や公共ＡＰを介さずに無線アダプタ付きＰＣ間無線ＬＡＮ接続可能なアドホック（Ａｄｈｏｃ）モードであってもよい。
【０１６３】
前記コンテンツ処理部は、同じネットワークに存在するユーザー端末からのコンテンツの再生要請に応じて、前記無線通信部を介して前記ユーザー端末から前記再生要請の行われたコンテンツをストリーミングする。
【０１６４】
前記デコード部は、前記ストリーミングされるコンテンツをデコードした後、前記ステレオジャックインタフェース部を介して接続された外部スピーカーを通して出力されるようにする。
【０１６５】
前記ステレオジャックインタフェース部は、前記デコードされたコンテンツが外部スピーカーを通して出力されるように前記外部スピーカーとのインタフェースを提供する役割を果たす。
【０１６６】
前記コンテンツ再生端末は、前記外部スピーカーを通して出力されるコンテンツのボリュームを調節するためのボタンが設けられた入力部（図示せず）をさらに備えていてもよい。すなわち、前記入力部には、「ボリュームアップ」ボタン、「ボリュームダウン」ボタンなどが設けられている。
【０１６７】
このような構成を有するコンテンツ再生端末には保存部が設けられていないため、前記ユーザー端末からコンテンツをストリーミングして外部スピーカーを通して出力する動作のみを行う。
【０１６８】
図１０は、本発明の一実施形態に係るコンテンツ再生端末がコンテンツを再生するための方法を示すシーケンス図である。
【０１６９】
図１０を参照すると、ユーザー端末は、ＣＰＮＳに対応できるコンテンツ再生端末を検索し（Ｓ１０００）、前記検索されたコンテンツ再生端末からドングル情報を受信する（Ｓ１００２）。このとき、前記ユーザー端末および前記コンテンツ再生端末は、ＣＰＮＳサービスのための初期設定過程を経る。
【０１７０】
前記Ｓ１００２を行った後、前記ユーザー端末は、ユーザーによって再生したいコンテンツが選択されると（Ｓ１００４）、前記選択されたコンテンツをコンテンツ再生端末にストリーミングしつつ再生要請を行う（Ｓ１００６）。
【０１７１】
前記コンテンツ再生端末は、前記ストリーミングされるコンテンツをデコードし（Ｓ１００８）、外部スピーカーを通しての出力要請が行われたかどうかを判断する（Ｓ１０１０）。
【０１７２】
前記Ｓ１０１０における判断の結果、外部スピーカーを通しての出力要請が行われた場合、前記コンテンツ再生端末は、ステレオジャックを介して接続された外部スピーカーを通して前記デコードされたコンテンツを出力する（Ｓ１０１２）。
【０１７３】
もし、前記Ｓ１０１０における判断の結果、外部スピーカーを通しての出力要請が行われていない場合、前記コンテンツ再生端末は、自分のスピーカーを通して前記デコードされたコンテンツを出力する（Ｓ１０１４）。
【０１７４】
このようにしてコンテンツ再生端末がネットワークへ接続可能になると、ユーザー端末の大容量ＨＤＤ上に存在する音源やＭＰ３を提供するサーバー上の音源データをダウンロードしてリアルタイムにて再生することができるので、既存のコンテンツ再生端末の容量限界を克服することができて使い勝手がよくなる。
【０１７５】
また、コンテンツ再生端末を既存の外部スピーカーの入力端子に接続することでインターネットスピーカーとして活用することができ、ユーザーは、ネットワーク上のコンテンツをより一層豊富なサウンド環境で聴くことができる。
【０１７６】
図１１は、本発明の一実施形態に係るＣＰＮＳ環境におけるＦＭ送出を通してのコンテンツ再生システムを示す図である。
【０１７７】
図１１を参照すると、ＣＰＮＳ環境におけるＦＭ送出を通してのコンテンツ再生システムは、ユーザー端末１００と、近距離無線通信網を介してユーザー端末１００と接続されたコンテンツ再生端末１１００と、コンテンツ出力装置１２００と、を備える。
【０１７８】
前記ユーザー端末１００は、ＣＰＮＳに対応できるコンテンツ再生端末１１００を検索し、前記検索されたコンテンツ再生端末１１００からコンテンツ情報を受信し、既保存のコンテンツのうちの少なくとも一つを前記コンテンツ再生端末１１００にダウンロードして前記コンテンツ再生端末１１００とコンテンツを共有する。
【０１７９】
また、前記ユーザー端末１００は、前記コンテンツ再生端末１１００にユーザーによって選択されたコンテンツの再生要請を行う。
【０１８０】
このような役割を果たすユーザー端末１００とは、パソコン（ＰＣ）、移動通信端末、ＭＰ３プレーヤー、ＰＭＰなどのことをいい、前記ユーザー端末１００についての詳細な説明は図２に基づいて行う。
【０１８１】
前記コンテンツ再生端末１１００は、前記ユーザー端末１００と近距離無線通信網を介して接続され、前記ユーザー端末１００からのコンテンツの再生要請に応じて、当該コンテンツをデコードした後にＦＭデータに変換して送出する。このとき、前記コンテンツ再生端末１１００は、前記ＦＭデータを特定の周波数で送出する。
【０１８２】
前記コンテンツ再生端末１１００は、ＣＰＮＳに対応できるユーザー端末１００から近距離無線通信網を介してＭＰ３データなどのコンテンツを受信してリアルタイムにてデコードした後にＦＭモジュールに送出する機能を果たすドングルタイプであってもよい。
【０１８３】
このようなコンテンツ再生端末１１００についての詳細な説明は、図１２に基づいて行う。
【０１８４】
前記ユーザー端末１００および１以上のコンテンツ再生端末１１００は一つのグループとして結ばれて近距離無線通信網を介して互いに情報を送受信し、図示はしないが、移動通信網との通信も行うことができる。ここで、近距離無線通信網は、ＷｉＦｉ、Ｗｉｂｒｏ、無線ＬＡＮ、ブルートゥース、ウルトラワイドバンド（ＵＷＢ）などをはじめとして近距離無線通信が行えるあらゆる通信網を含む。
【０１８５】
前記コンテンツ出力装置１２００は、ＦＭ受信機能を有する装置であり、前記コンテンツ再生端末１１００からのＦＭデータを復調して再生する役割を果たす。
【０１８６】
前記コンテンツ出力装置１２００とは、車両内ラジオなどのステレオシステムのことをいう。
【０１８７】
このため、前記コンテンツ再生端末１１００から無線区間に送出されたＦＭデータは、車両にＦＭラジオを受信するために設けられる車両用アンテナを介して車両の内部に設けられるオーディオ装置のラジオに受信された後に、ラジオのステレオスピーカーを通して出力される。このとき、ユーザーは、車両の内部に設けられるオーディオ装置のラジオ周波数をチューニングして前記コンテンツ再生端末１１００により生成されるＦＭデータ信号と一致させる。
【０１８８】
前記コンテンツ再生端末１１００および前記コンテンツ出力装置１２００は、ＦＭデータの無線送受信のための無線網などを介して接続される。
【０１８９】
このように車両の内部に設けられるオーディオ装置をチューニングして前記コンテンツ再生端末１１００から送出される周波数と一致させて車両に設けられたスピーカーを通してコンテンツが出力されるような構造を有することにより、運転者及び同乗者がより一層向上した良質のコンテンツを聴取・鑑賞することができ、ラジオを介してコンテンツを聴取・鑑賞するときと同じ過程により車両のスピーカーを通してコンテンツを聴くことができる。
【０１９０】
上述したコンテンツ出力装置１２００についての詳細な説明は、図１３に基づいて行う。
【０１９１】
このような構成を有するＦＭ送出を通してのコンテンツ再生システムにより、ユーザーは、車両の運行中に自分が有している携帯電話またはＭＰ３Ｐ上のコンテンツを車両のステレオシステムを介して出力することができる。
【０１９２】
図示はしないが、ＣＰＮＳ環境におけるＦＭ送出を通してのコンテンツ再生システムは、共有されたコンテンツをダウンロードしたり、または、再生したいコンテンツを選択するための遠隔制御装置をさらに備えていてもよい。前記遠隔制御装置とは、移動通信端末、リモコンなどを言う。
【０１９３】
例えば、前記遠隔制御装置が移動通信端末である場合、前記移動通信端末は、移動通信網または近距離無線通信網を介して前記ユーザー端末１００または前記コンテンツ再生端末１１００と接続してコンテンツのダウンロード、再生要請などの命令の入力を行うことができる。
【０１９４】
この実施形態に係るユーザー端末は、図２に示し、前記ＣＰＮＳ環境におけるコンテンツ出力システムのうちコンテンツ出力装置として外部スピーカーが接続された場合の実施形態と同様である。
【０１９５】
図１２は、本発明の一実施形態に係るコンテンツ再生端末の構成を概略に示すブロック図である。
【０１９６】
図１２を参照すると、コンテンツ再生端末１１００は、近距離無線通信網を介して通信を行うための無線通信部１１０２と、ダウンロード処理部１１０４と、コンテンツが保存された保存部１１０６と、デコード部１１０８と、ＦＭ変換部１１１０と、ＦＭ送出部１１１２と、を備える。
【０１９７】
前記ダウンロード処理部１１０４は、前記無線通信部１１０２を介してユーザー端末からコンテンツをダウンロードし、前記保存部１１０６に保存されたコンテンツを前記ユーザー端末に伝送して前記ユーザー端末とコンテンツを共有する。
【０１９８】
すなわち、前記ダウンロード処理部１１０４は、前記ユーザー端末からダウンロードされたコンテンツを前記保存部１１０６に保存するか、あるいは、前記保存部１１０６に保存されたコンテンツを前記ユーザー端末に提供して前記ユーザー端末とコンテンツを共有する。
【０１９９】
前記デコード部１１０８は、前記ユーザー端末によって再生要請が行われたコンテンツをデコードする。すなわち、前記デコード部１１０８は、前記ユーザー端末からダウンロードされたコンテンツまたはストリーミングされるコンテンツをデコードする。
【０２００】
前記ＦＭ変換部１１１０は、前記デコード部１１０８においてデコードされたコンテンツをＦＭデータに変換する。このとき、前記ＦＭ変換部１１１０は、前記デコード部１１０８においてデコードされたコンテンツを変復調してＦＭデータに変換すると共に、変換されたＦＭデータがラジオにおいて受信可能な周波数帯域を有するように選択的に変換する。
【０２０１】
前記ＦＭ送出部１１１２は、前記ＦＭ変換部１１１０によって選択されたチャンネルに無線送出するために前記ＦＭデータを高周波信号に変換し、前記変換されたＦＭ高周波データを無線送出するために所定のレベルに増幅した後に送出する役割を果たす。
【０２０２】
前記ＦＭ送出部１１１２は、前記増幅されたＦＭデータをアンテナを介して送出する。
【０２０３】
図１３は、本発明の一実施形態に係るコンテンツ出力装置の構成を概略に示すブロック図である。
【０２０４】
図１３を参照すると、コンテンツ出力装置１２００は、ＦＭ処理部１２０２と、出力部１２０４と、を備える。
【０２０５】
前記ＦＭ処理部１２０２は、コンテンツ再生端末から送出される周波数に同調されて、前記周波数を介して受信されるＦＭデータを復調する。すなわち、前記ＦＭ処理部１２０２は、前記コンテンツ再生端末から送出されるＦＭデータを既設のアンテナ（図示せず）を介して受信して復調する。
【０２０６】
前記出力部は、前記ＦＭ処理部１２０２において復調されたコンテンツを出力する役割を果たす。前記出力部とは、例えば、車両のオーディオ装置に取り付けられるスピーカー、ディスプレイ装置などのことを言う。
【０２０７】
図示はしないが、コンテンツ出力装置１２００は、無線通信を介して前記コンテンツ再生端末からＦＭデータを受信するための通信部（図示せず）を備えている。
【０２０８】
図１４は、本発明の一実施形態に係るＣＰＮＳ環境におけるＦＭ送出を通してのコンテンツ再生方法を示すシーケンス図である。
【０２０９】
図１４を参照すると、ユーザー端末は、ＣＰＮＳに対応できるコンテンツ再生端末を検索し（Ｓ１４００）、前記検索されたコンテンツ再生端末から端末情報を受信する（Ｓ１４０２）。このとき、前記ユーザー端末および前記コンテンツ再生端末は、ＣＰＮＳサービスのための初期設定過程を経る。
【０２１０】
すなわち、前記ユーザー端末は、ＣＰＮＳサービスを利用するために、パーソナルネットワーク（ＰＮ：Ｐｅｒｓｏｎａｌ Ｎｅｔｗｏｒｋ）ゲートウェイデバイスの役割を果たすコンテンツ再生端末を検索する。しかる後、前記ユーザー端末は、前記コンテンツ再生端末からの端末情報を用いて前記コンテンツ再生端末のＣＰＮＳサービスの利用可否をチェックする。前記チェックの結果、ＣＰＮＳサービスが利用可能である場合、前記ユーザー端末は、前記コンテンツ再生端末にＣＰＮＳサービスが利用可能である旨の認証メッセージを伝送する。前記コンテンツ再生端末は、前記ユーザー端末からＣＰＮＳサービスが利用可能である旨の認証メッセージを受信すると、自分のＩＤを伝送する。
【０２１１】
前記ユーザー端末は、前記コンテンツ再生端末から送られてくるＩＤのフォーマットがＣＰＮＳから発給されたＩＤフォーマットと一致するかどうかをチェックして、フォーマットが一致する場合、コンテンツ再生端末にサービスが利用可能である旨の認証メッセージを伝送する。
【０２１２】
このようにしてユーザー端末と前記コンテンツ再生端末との間のＣＰＮＳサービスのための初期設定過程が行われると、前記ユーザー端末は、ユーザーによって選択されたコンテンツ再生端末にコンテンツ情報を要請し（Ｓ１４０４）、前記コンテンツ再生端末は、コンテンツ情報の要請に応じて、既保存のコンテンツ情報を前記ユーザー端末に伝送する（Ｓ１４０６）。
【０２１３】
前記ユーザー端末に送られてくるコンテンツ情報は、コンテンツ一覧及び当該コンテンツ内容をいずれも含む。
【０２１４】
前記Ｓ１４０６を行った後、前記ユーザー端末は、ユーザーによって選択されたコンテンツを前記コンテンツ再生端末にダウンロードする（Ｓ１４０８）。すなわち、前記ユーザーは、ユーザー端末に保存されたコンテンツのうち再生したいコンテンツを選択して前記コンテンツ再生端末にダウンロードする。
【０２１５】
しかる後、前記ユーザー端末は、前記ダウンロードされたコンテンツの再生要請を行うコンテンツ再生要請信号を前記コンテンツ再生端末に伝送する（Ｓ１４０９）。ここで、前記コンテンツ再生要請信号は、ダウンロードされたコンテンツ情報などを含む。
【０２１６】
前記Ｓ１４０９を行った後、前記コンテンツ再生端末は、前記コンテンツの再生要請に応じて、前記ダウンロードされたコンテンツをデコードし（Ｓ１４１０）、前記デコードされたコンテンツをＦＭデータに変換する（Ｓ１４１２）。
【０２１７】
このとき、前記コンテンツ再生端末は、前記デコードされたコンテンツを変復調してＦＭデータに変換すると共に、変換されたＦＭデータがラジオにおいて受信可能な周波数帯域を有するように選択的に変換する。しかる後、前記コンテンツ再生端末は、前記選択されたチャンネルに無線送出するために前記ＦＭデータを高周波信号に変換し、前記変換されたＦＭ高周波信号を無線送出するために所定のレベルに増幅する。
【０２１８】
しかる後、前記コンテンツ再生端末は、前記増幅されたＦＭデータを無線アンテナを介してコンテンツ再生装置に伝送する（Ｓ１４１４）。
【０２１９】
すると、前記コンテンツ再生装置は、前記コンテンツ再生端末からのＦＭデータを復調して再生・出力する（Ｓ１４１６）。
【０２２０】
図１５は、本発明の他の実施形態に係るＣＰＮＳ環境におけるＦＭ送出を通してのコンテンツ再生方法を示すシーケンス図である。
【０２２１】
図１５を参照すると、ユーザー端末は、ＣＰＮＳに対応できるコンテンツ再生端末を検索し（Ｓ１５００）、前記検索されたコンテンツ再生端末から端末情報を受信する（Ｓ１５０２）。
【０２２２】
しかる後、前記ユーザー端末は、ユーザーによって選択されたコンテンツ再生端末にコンテンツ情報を要請し（Ｓ１５０４）、前記コンテンツ再生端末は、コンテンツ情報の要請に応じて、既保存のコンテンツ情報を前記ユーザー端末に伝送する（Ｓ１５０６）。前記ユーザー端末に送られてくるコンテンツ情報は、コンテンツ一覧及び当該コンテンツ内容をいずれも含む。
【０２２３】
前記ユーザーは、前記コンテンツ再生端末から受信されたコンテンツ情報及び既保存のコンテンツ一覧を確認して再生したいコンテンツを選択する。
【０２２４】
前記Ｓ１５０６を行った後、前記ユーザー端末は、ユーザーによって再生したいコンテンツが選択されると（Ｓ１５０８）、前記選択されたコンテンツ情報を含むコンテンツ再生要請信号を前記コンテンツ再生端末に伝送する（Ｓ１５１０）。ここで、前記コンテンツ再生要請信号は、コンテンツ一覧、コンテンツ内容などを含む。
【０２２５】
前記Ｓ１５１０を行った後、前記コンテンツ再生端末は、前記ユーザー端末からのコンテンツの再生要請に応じて、当該コンテンツをデコードする（Ｓ１５１２）。すなわち、前記コンテンツ再生端末は、再生要請の行われたコンテンツが前記ユーザー端末からダウンロードされたコンテンツ、自分の保存部に保存されたコンテンツ、再生要請と一緒にストリーミングされているコンテンツであるかどうかを判断し、当該コンテンツをデコードする。
【０２２６】
前記Ｓ１５１２を行った後、前記コンテンツ再生端末は、前記デコードされたコンテンツをＦＭデータに変換する（Ｓ１５１４）。
【０２２７】
このとき、前記コンテンツ再生端末は、前記デコードされたコンテンツを変復調してＦＭデータに変換すると共に、変換されたＦＭデータがラジオにおいて受信可能な周波数帯域を有するように選択的に変換する。しかる後、前記コンテンツ再生端末は、前記選択されたチャンネルに無線送出するために前記ＦＭデータを高周波信号に変換し、前記変換されたＦＭ高周波信号を無線送出するために所定のレベルに増幅する。
【０２２８】
しかる後、前記コンテンツ再生端末は、前記増幅されたＦＭデータを無線アンテナを介してコンテンツ再生装置に伝送する（Ｓ１５１６）。
【０２２９】
すると、前記コンテンツ再生装置は、前記コンテンツ再生端末からのＦＭデータを復調して再生・出力する（Ｓ１５１８）。
【０２３０】
このように、本発明が属する技術分野における当業者は、本発明がその技術的思想や必須的特徴を変更することなく他の具体的な形態にて実施可能であることが理解できるであろう。よって、上述した実施形態はあらゆる面において例示的なものであり、限定的なものではないと理解すべきである。本発明の範囲は、前記詳細な説明よりは後述する特許請求の範囲によって開示され、特許請求の範囲の意味及び範囲、並びにその等価概念から導き出されるあらゆる変更または変形が本発明の範囲に含まれるものと解釈さるべきである。
【産業上の利用可能性】
【０２３１】
以上述べたように、本発明に係るＣＰＮＳ環境におけるコンテンツ出力システム及び方法は、ＣＰＮＳを介して様々な装置同士のコンテンツの共有及びリアルタイム再生が行え、ＣＰＮＳを介して様々な装置同士のコンテンツの共有及びリアルタイム再生が行えるので、ユーザーに様々なコンテンツを提供し、高音質のコンテンツを聴取・鑑賞する必要性が高い分野に適用して好適である。また、ユーザー端末に保存されたコンテンツを周波数変調して無線にて送出すると車両内のステレオシステムが周波数変調されたコンテンツを受信して出力するため、車両の運転中にもまるでラジオなどのステレオシステムを介して音楽を聴くように楽に高音質のコンテンツを聴取・鑑賞する必要性が高い分野に適用して好適である。
【符号の説明】
【０２３２】
１００  ユーザー端末、
１０２、２０２  無線通信部、
１０４、２０４  保存部、
１０６  表示部、
１０８  端末検索部、
１１０  コンテンツ共有処理部、
１１２  再生要請部、
１１４  入力部、
２００  コンテンツ再生端末、
２０６  端末情報提供部、
２０８  ダウンロード処理部、
２１０  デコード部、
２１２  再生部、
２１４  ステレオジャックインタフェース部、
３００  外部スピーカー、
７００  コンテンツ再生端末、
７０２  無線通信部、
７０４  入力部、
７０６  ダウンロード処理部、
７０８  再生部、
７１０  ステレオジャックインタフェース部、
７１２  保存部、
７１４  電源部、
８００  コンテンツ出力端末、
１１００  コンテンツ再生端末、
１１０４  ダウンロード処理部、
１１０６  保存部、
１１０８  デコード部、
１１１０  ＦＭ変換部、
１１１２  ＦＭ送出部、
１２００  コンテンツ出力装置、
１２０２  ＦＭ処理部、
１２０４  出力部
【図１】
2012528418.tif 000003
【図２】
2012528418.tif 000004
【図３】
2012528418.tif 000005
【図４】
2012528418.tif 000006
【図５】
2012528418.tif 000007
【図６】
2012528418.tif 000008
【図７】
2012528418.tif 000009
【図８】
2012528418.tif 000010
【図９】
2012528418.tif 000011
【図１０】
2012528418.tif 000012
【図１１】
2012528418.tif 000013
【図１２】
2012528418.tif 000014
【図１３】
2012528418.tif 000015
【図１４】
2012528418.tif 000016
【図１５】
2012528418.tif 000017
【手続補正書】
【提出日】平成23年11月29日(2011.11.29)
【手続補正１】
【補正対象書類名】明細書
【補正対象項目名】０１１０
【補正方法】変更
【補正の内容】
【０１１０】
前記Ｓ５１０を行った後、前記コンテンツ再生端末は、前記ユーザー端末によって再生要請が行われたコンテンツの保有有無を判断する。
【手続補正２】
【補正対象書類名】明細書
【補正対象項目名】０１１１
【補正方法】変更
【補正の内容】
【０１１１】
前記判断の結果、前記再生要請の行われたコンテンツを保有している場合、前記コンテンツ再生端末は当該コンテンツを取り出してデコードし、前記再生要請の行われたコンテンツを保有していない場合には、前記ユーザー端末からダウンロードしてデコードする（Ｓ５１２）。
【手続補正３】
【補正対象書類名】明細書
【補正対象項目名】０１２１
【補正方法】変更
【補正の内容】
【０１２１】
前記コンテンツ再生端末７００は、前記ユーザー端末１００と近距離無線通信網を介して接続されて、前記ユーザー端末１００とコンテンツを共有し、前記ユーザー端末１００または既設の入力部からのコンテンツの再生要請に応じて当該コンテンツをデコードした後、ステレオジャックを介して接続されたコンテンツ出力装置８００または既設のスピーカーを通して出力する。このとき、前記コンテンツ再生端末７００は、ユーザーによって再生要請が行われたコンテンツの保有有無を判断し、前記再生要請の行われたコンテンツを保有している場合に当該コンテンツを取り出してデコードし、前記再生要請の行われたコンテンツを保有していない場合には前記ユーザー端末１００からダウンロードしてデコードする。
【国際調査報告】
2012528418.tif 000018
2012528418.tif 000019
2012528418.tif 000020
2012528418.tif 000021